Podtech/llm-jp-corpus-v4-ja_patent huggingface dataset:
(57)【要約】      （修正有）【課題】スタンドのブラケット、スタンドの本体、及び台座が折り畳め、ＵＳＢインタフェースの充電口を有するＬＥＤスタンドを提供する。【解決手段】ＬＥＤ電気スタンドであって、台座１、その台座と動かして接続されるスタンドのブラケット２、そのブラケットと動かして接続される主体３、そのスタンドの本体に固定されたＬＥＤ発光の部品４が含まれる。その台座は同じ大きさの二つの直方体部が可動的に接続され、スタンドのブラケットは台座の二つの直方体部の接続部分と可動的に接続される。そのブラケットは三つの部分より一つずつ動かして接続され、ブラケットの三つの部分の大きさは台座の直方体部の大きさと同一であり、そのスタンドの本体の大きさは台座の直方体部の大きさと同じである。【選択図】図１
0003199287.tif 000002
【実用新案登録請求の範囲】
【請求項１】
LEDスタンダであり、台座、その台座と可動的に接続されるLEDスタンダのブラケット、そのブラケットと可動的に接続される本体、そのLEDスタンドの本体に固定されたLED発光の部品を含み、その台座は同じ大きさの二つの直方体部が可動的に接続されることにより構成され、ブラケットは台座を構成する二つの直方体部の接続部分と可動的に接続され、そのブラケットは三つの部分をそれぞれ可動的に接続することにより構成され、ブラケットを構成する三つの部分それぞれの大きさは台座の直方体部の大きさと同一で、そのLEDスタンドの本体の大きさは台座の直方体部の大きさと同じであることを特徴とするLEDスタンダ。
【請求項２】
請求項１に記載のLEDスタンダにおいて、台座の上にUSBのインタフェースが設置されることを特徴とするLEDスタンダ。
【考案の詳細な説明】
【技術分野】
【０００１】
本実用新案は照明器具の設計領域に所属され、特に一つの折りLEDスタンダに関連する。
【背景技術】
【０００２】
LED技術が改善し高めていくことに伴い、よりよく使用された。LEDは発光部品が高効率で、体積が小さいという特徴に備え、LEDの発光部品はよりよくスタンダ等の照明器具に運用された。現有のLEDスタンダは普通では台座、ランプのホヤ、それらを接続するスタンダの軸とスイッチを含め、その軸がある範囲に変形でき、LEDスタンダの照明角度を変化させ、照明方法を調整する。ユーザーはドアノブのスイッチを回してLEDスタンダの明るさと開閉をコントロールできる。しかし、現有のスタンダのホヤは大きくて、保存したら大きな空間を占めるだけではなく、スタンダの機能も比較的に単一である。
【考案の概要】
【考案が解決しようとする課題】
【０００３】
本実用新案の目的は一つの折りLEDスタンダを提供することであり、そのスタンドのブラケット、スタンダの本体、及び台座が折り畳め、USBインタフェスの充電口も付いている。
【課題を解決するための手段】
【０００４】
以上の目的に達成できるため、本実用新案は、一つの折りLEDスタンダであり、台座、その台座と動かして接続されるスタンダのブラケット、そのブラケットと動かして接続される主体、そのスタンドの本体に固定されたLED発光の部品を含める。その台座は同じ大きさの二つの長方形が動かして接続され、スタンダのブラケットは台座の二つの長方形の接続部分と動かして接続された。そのブラケットは三つの部分より一つずつ動かして接続され、ブラケットの三つの部分の広さは台座の長方形の広さと近く、そのスタンドの本体の大きさは台座の長方形の大きさとおないぐらいである。台座の上にUSBのインタフェースを設置できる技術案である。
【考案の効果】
【０００５】
収縮する必要がある時に、台座の長方形の部分が折り畳め、ブラケットの三つの部分が平面に折り畳め、台座の上に折り畳める。電気のソケットが折り畳め、折り畳めたブラケットを被覆する。
【０００６】
その折りLEDスタンダはおりたたまれてから、体積が小さく、運んだり持ち歩いたりしやすい。その他、台座の上のUSBインタフェースも他のIT製品に充電できる。
【図面の簡単な説明】
【０００７】
【図１】本実用新案の折りLEDスタンダの側面構造図である。
【図２】本実用新案の折りLEDスタンダの正面構造図である。
【図３】本実用新案の折りLEDスタンダが折り畳んだ構造図である。
【考案を実施するための形態】
【０００８】
以下あげた実施の例で本実用新案を更に説明するが、本実用新案の保護範囲に対する制限と理解してはいけない。本領域の技術メンバーは本実用新案の内容により本実用新案に非本質的な改造と調整を行い、その例も本実用新案の保護範囲に所属される。
【０００９】
図１、図2、図3による折りLEDスタンダは、台座１、その台座１と動かして接続されるスタンダのブラケット２、ブラケット２と動かして接続される主体３、そのスタンドの本体３に固定されたLED発光の部品４を含める。その台座１は同じ大きさの二つの長方形が動かして接続され、スタンダのブラケット２は台座１の二つの長方形の接続部分と動かして接続された。そのブラケット２は三つの部分より一つずつ動かして接続され、ブラケット２の三つの部分の広さは台座１の長方形の広さと近く、そのスタンドの本体３の大きさは台座１の長方形の大きさと同じぐらいである。台座１の上にUSBインタフェース５、電線6を設置された。
【００１０】
収縮する必要がある時に、台座１の長方形の部分が折り畳め、スタンダのブラケット２の三つの部分が平面に折り畳め、台座１の上に折り畳める。電気のソケット３が折り畳め、折り畳めたブラケット２を被覆する。台座１の上のUSBインタフェース５も他のIT製品に充電できる。
【符号の説明】
【００１１】
１  台座
２  ブラケット
３  主体
４  部品
【図１】
0003199287.tif 000003
【図２】
0003199287.tif 000004
【図３】
0003199287.tif 000005
(57)【要約】      （修正有）【課題】照射範囲の広いＬＥＤフロアランプを提供する。【解決手段】ＬＥＤフロアスタンドは、ランプスタンド１、ランプスタンドに繋げられるブラケット２、ブラケット上の端に設置される電球の口金３、電球の口金外部を取り込まれるランプの火屋４、電球の口金の内部に取り付けられるＬＥＤランプバルブの本体５を含む。ランプの火屋は両端に開いた円柱形からなり、ＬＥＤランプバルブの本体は亜鈴形からなり、電灯のソケットがランプバルブ本体の下部に繋げられる。ＬＥＤ発光体がランプバルブ本体の表面に分布することを特徴とする。【選択図】図１
0003199286.tif 000002
【実用新案登録請求の範囲】
【請求項１】
LEDフロアランプにおいて、ランプスタンド、ランプスタンドに繋られブラケット、ブラケット上の端に設置された電球の口金、電球の口金の外部を取り込むランプの火屋、電球の口金の内部に取り付けられたLEDランプバルブを含み、前述したランプの火屋は両端が開いた円柱形からなり、LEDランプバルブの本体は亜鈴形からなり、電灯のソケットがランプバルブ本体の下部に繋られ、LED発光体がランプバルブ本体の表面に分布することを特徴とするLEDフロアランプ。
【考案の詳細な説明】
【技術分野】
【０００１】
本実用新案は照明具デザイン分野に属する、特に、LEDランプに関連する。
【背景技術】
【０００２】
フロアランプ：Floor lampは一般的には客間と寝室に設置し、ソファー、ティーテーブルとかみ合わせて使い、部屋の局部の照明と家庭環境の飾りのニーズを満足する。LED技術の引き続き改善と高めに伴い、その使用もだんだん普及された、また伝統的なランプを代わるLEDランプが出場してきた。電灯的なタングステンランプと比べ、LEDランプは小型、電力消費量が低く、持ち長いなどのメリットがある、しかし、普通のLEDランプの光束ヶ比較的に集中で、フラッド角度が細い、白熱灯のような高いフラッド角度はない、陰を生み出すので、LEDをフロアスタンドに活用するのはまだ普及されてない。
【考案の概要】
【考案が解決しようとする課題】
【０００３】
本実用新案の主な目的は現有の技術の欠点と不足を克服し、照射範囲の広いLEDフロアランプを提供する。
【課題を解決するための手段】
【０００４】
上記の目的を達成するために、本実用新案の技術方案：亜鈴形LEDフロアスタンドは、ランプスタンド、ランプスタンドに繋げるブラケット、ブラケット上の端に設置される電球の口金、電球の口金外部を取り込まれるランプの火屋、電球の口金の内部に取り付られるLEDランプバルブを含まれる；前述したランプの火屋の両端に開いた円柱形、LEDランプバルブの本体は亜鈴形、電灯のソケットがランプバルブ本体の下部に繋がられる、LED発光体がランプバルブ本体の表面に分布する。
【考案の効果】
【０００５】
本亜鈴形LEDフロアスタンド、両端が開いた円柱形の火屋と亜鈴形のLEDランプバルブを採用し、LED発光体がランプバルブ本体の表面に分布する。光束照射の範囲は広い、ランプバルブ本体曲がりくねっている位置の光束が強く、ランプの火屋を通った明かりの強さを増加できる。
【図面の簡単な説明】
【０００６】
【図１】本実用新案亜鈴形LEDフロアランプの構造説明図である。
【考案を実施するための形態】
【０００７】
以下の実例は本実用新案に対してさらに説明するが、本実用新案の保護範囲を限界ということを理解できない。当業者は本実用新案の内容にしたがって、本実用新案に対して非品質的な改善と調整をすることは相変わらず本実用新型の保護範囲に属する。
【０００８】
亜鈴形LEDフロアランプは右の図面１が示した通り、ランプスタンド１、ランプスタンド１に繋げるブラケット２、ブラケット２上の端に設置したされる電球の口金３、電球の口金３外部を取り込まれるランプの火屋４、電球の口金３の内部に取り付けられるLEDランプバルブを含める；前述したランプの火屋４の両端に開いた円柱形、LEDランプバルブの本体５は亜鈴形、電灯のソケット６がランプバルブ本体５の下部に繋がられる、LED発光体７がランプバルブ本体５の表面に分布する。
【０００９】
本亜鈴形LEDフロアスタンド、両端が開いた円柱形の火屋と亜鈴形のLEDランプバルブを採用し、LED発光体がランプバルブ本体の表面に分布する、光束照射の範囲は広い、また、ランプバルブ本体曲がりくねっている位置の光束が強く、ランプの火屋を通った明かりの強さを増加できる。
【００１０】
上記は、単なる本実用新案の具体的な実施方式しかない。しかし、実用的な新型の保護範囲はこれに限定されるものではない。すべての創造的な労働をせずに考えた変化や変更は、本実用新案の保護範囲に覆われる。したがって、本実用新案の保護範囲は、権利要求書を限定された範囲によって定義されるべきである。
【符号の説明】
【００１１】
１  ランプスタンド
２  ブラケット
３  電球の口金
４  ランプの火屋
５  LEDランプバルブの本体
６  電灯のソケット
７  LED発光体
【図１】
0003199286.tif 000003
(57)【要約】      （修正有）【課題】照射範囲が広く、散熱効果がよいＬＥＤ壁ランプを提供する。【解決手段】ＬＥＤ壁ランプで、ランプボディ２を含み、そのランプボディをランプシェード１が取り囲む。ランプボディの形状は半円柱形で、それに、ランプボディの下の面積より上のほうが大きい。ＬＥＤ発光体をランプボディの弧状表面に設置し、ランプボディ内部に上下に貫通する放熱チャネル５を設置する。ＬＥＤ壁ランプのランプボディ表面に時間表示パネル４が設置できる。【選択図】図１
0003199285.tif 000002
【実用新案登録請求の範囲】
【請求項１】
LED壁ランプにおいて、ランプボディを含み、そのランプボディがランプシェードによって取り囲まれ、上記のランプボディの形状は半円柱形で、ランプボディの下面の面積より上面の面積のほうが大きく、LED発光体がランプボディの弧状表面に設置され、ランプボディ内部には上下方向に貫通する放熱チャネルが設置されることを特徴とするLED壁ランプ。
【請求項２】
請求項１に記載のLED壁ランプにおいて、ランプボディ表面に時間表示パネルが設置されることを特徴とするLED壁ランプ。
【考案の詳細な説明】
【技術分野】
【０００１】
本実用新案は一種照明具のデザイン分野に属する。特に、一種LEDランプに関連する。
【背景技術】
【０００２】
壁ランプはインテリアの照明具で、普通はミルキーのガラスシェードと組み合わせる。ランプ電力は約15−40ワットぐらいである。明かりはエレガントで調和して、環境を優雅で豪華に飾ってから、新婚家に特に適する。LEDは冷光を活用して、フレアも小さいし、放射もなく、使用中に有害物資を生成しない。LED の運用電圧は低くて、直流駆動方式を採用する。超低いパワー（単一チューブ0.03~0.06W）で、電光パワーの変換は100パーセントに近く、同じ照明効果の下に、伝統光源より80パーセント以上のエネルギーが節約できる。LEDは環境上のメリットもさらに素晴らしい。スペクトルの中に紫外線及び赤外線がなく、廃棄物もリサイクルできるから、汚染もない。水銀元素も含まないし、安全に触れることができる。典型的な緑の照明に属する。
【０００３】
LED技術の改善及び向上に従って、それを使用することも普及し続ける。だんだん伝統的な電球を代ってLEDランプが出ていく。しかし、一般的なLEDランプのビームはもっと集中して散光はもっと狭くて、白熱灯のような強い散光度ができない。陰影を落として、それに悪い散熱効果もランプの使用寿命にも影響する。
【考案の概要】
【考案が解決しようとする課題】
【０００４】
本実用新案の主な目的は現有技術の欠点や不足を克服して、照射範囲が広く、散熱効果がよい一種LED壁ランプを提供するためである。
【課題を解決するための手段】
【０００５】
上記の目的を達成するために、本実用新案の技術方案は一種LED壁ランプで、ランプボディを含み、そのランプボディのランプシェードを取り囲む。上記のランプボディの形状は半円柱形で、それに、ランプボディの下の面積より上のほうが大きい。LED発行体をランプボディの弧状表面に設置されて、ランプボディ内部に上下に貫通する放熱チャネルを設置される。
【０００６】
最適化をするため、LED壁ランプのランプボディ表面に時間表示パネルが設置できる。
【考案の効果】
【０００７】
本実用新案のLED壁ランプは半円柱形のデザインを採用して、LED発行体をランプボディの弧状表面に設置されて、ランプボディの下の面積より上のほうが大きい。LED壁ランプの照射範囲を増加して、放熱チャネルの設計はLED壁ランプの放熱に役に立つ。
【図面の簡単な説明】
【０００８】
【図１】本実用新案のLED壁ランプの構造説明図である。
【考案を実施するための形態】
【０００９】
下記の実施例は、さらに本実用新案を例示する。しかし、本実用新案の保護範囲を限定するものとして理解することはできない。当業者は本実用新案内容によって、本実用新案のある非本質についての改進及び調整などは本実用新案の範囲に属する。
【００１０】
LED壁ランプは図１に示すように、ランプボディ2を含み、ランプボディを含み、そのランプボディ2のランプシェード1を取り囲む。上記のランプボディ2の形状は半円柱形で、それに、ランプボディ2の下の面積より上のほうが大きい。LED発行体3をランプボディ2の弧状表面に設置されて、ランプボディ2内部に上下に貫通する放熱チャネル5を設置される。LED壁ランプのランプボディ2表面に時間表示パネル4が設置できる。
【００１１】
本実用新案LED壁ランプは半円柱形のデザインを採用され、LED発行体をランプボディの弧状表面に設置されて、ランプボディの下の面積より上のほうが大きい。LED壁ランプの照射範囲を増加して、放熱チャネルの設計はLED壁ランプの放熱に役に立つ。時間表示パネルは電子時計に接続することができる。
【００１２】
上記は、単なる本実用新案の具体的な実施方式しかない。しかし、実用的な新型の保護範囲はこれに限定されるものではない。すべての創造的な労働をせずに考えた変化や変更は、本実用新案の保護範囲に覆われる。したがって、本実用新案の保護範囲は、権利要求書を限定された範囲によって定義されるべきである。
【符号の説明】
【００１３】
1  ランプシェード
2  ランプボディ
3  LED発行体
4  時間表示パネル
5  放熱チャネル
【図１】
0003199285.tif 000003
(57)【要約】      （修正有）【課題】タイマーによるタイミングができ、環境にやさしい省エネランプを提供する。【解決手段】ランプシェード１００、その下に接続されるランプスタンド１１０を含む省エネランプにおいて、ランプシェード内部に省エネランプ本体が設置され、ランプスタンドの上に時間の目盛り表記値１３０が設置され、時間の目盛り表記値の上に遊標１２０が設置され、遊標の下に警告区１４０が設置されることを特徴とする。【選択図】図１
0003199284.tif 000002
【実用新案登録請求の範囲】
【請求項１】
ランプシェード、その下に接続されるランプスタンドを含む省エネランプにおいて、ランプシェード内部に省エネランプ本体が設置され、ランプスタンドの上に時間の目盛り表記値が設置され、時間の目盛り表記値の上に遊標が設置され、遊標の下に警告区が設置されることを特徴とする省エネランプ。
【請求項２】
請求項１に記載の省エネランプにおいて、省エネランプ本体と時間の目盛り表記値の間に温度センサーを設置されることを特徴とする省エネランプ。
【請求項３】
請求項１に記載の省エネランプにおいて、時間の目盛り表記値の形は円形であることを特徴とする省エネランプ。
【考案の詳細な説明】
【技術分野】
【０００１】
本実用新案は一種照明具に関連する。特に、一種ランダムにタイミングができ、環境にやさしい省エネランプに関連する。
【背景技術】
【０００２】
省エネランプはまたは節電ランプ、電子ランプ、コンパクトな蛍光灯及び一体式蛍光灯と呼ばれて、蛍光灯と安定器を一体に組み合わせる照明設備である。2008年国家は“緑色照明”というプロジェクトを開始して、都市と農村の住民及び入札企業省エネランプを使用する企業が一定割合の補助金を享受できる。省エネランプの普及は重大な意義を持つが、廃棄の省エネランプは環境への悪い影響も懸念される。2012年10月末まで、省エネ普及プロジェクトは億以上の省エネランプを廃棄されて、それぞれがの水や土壌の180トンを汚染されることができるから、廃棄の省エネランプの処分とリサイクルに注目を浴びる。省エネランプはランプの管の外形が異なるから、主にU字管、スパイラル管、直管形並びに蓮の管、梅花管、ベルガモット管等々の他のタイプがある。
【０００３】
現在、市場で多種多様な省エネランプを提供される。省エネ型の照明具なのに、省エネランプをつけっぱなしのは、環境にも配慮していない。今、市場にタイミングができる省エネランプはまだ出なかった。実用性能は悪くて、不足点がある。
【０００４】
ここまでをまとめると、現有技術の欠点に対して、タイミングができ、環境にやさしい省エネランプが特に必要になって、現有技術の不足を解決するためである。
【考案の概要】
【考案が解決しようとする課題】
【０００５】
現有技術に省エネランプは日常生活の中に存在する不足が実際に使用過程に出る大きな影響に対して、実用新案は一種タイミングができ、環境にやさしい省エネランプを提出する。構造も簡単だし、デザインも革新的ある。機械の原理を採用して、省エネランプの上にランダムに調整できるタイマーを設置されることを通じて、省エネランプのタイミング効果を得る。エネランプをよりよい環境にやさしく、よりよい省エネルギー、実用的で優れた性能にさせて、現有技術簿欠点をすでに解決した。
【課題を解決するための手段】
【０００６】
上記目的を実現するため、本実用新案の技術方案が以下どおりである。一種タイミングができ、環境にやさしい省エネランプはランプシェード、その下に接続されるランプスタンドを含まれる。その特徴は、ランプシェード内部に省エネランプを設置されて、ランプスタンドの上に時間の目盛り表記値を設置される。時間の目盛り表記値の上に遊標を設置されて、遊標の下に警告区を設置される。
【０００７】
本実用新案述べる省エネランプと時間の目盛り表記値の間に温度センサーを設置される。
【０００８】
本実用新案述べる時間の目盛り表記値の形は円形である。
【考案の効果】
【０００９】
本実用新案の有益な効果は本製品の構造も簡単だし、制作も便利である。機械の原理を採用して省エネランプの上にランダムに調整できるタイマーを設置されることを通じて、省エネランプのタイミング効果を得る。省エネランプをよりよい環境にやさしく、よりよい省エネルギー、実用的で優れた性能、柔軟な使い方、革新的なデザインにさせる。これは素晴らしくて創造的なアイデアだから、マーケティングに普及の見通しがある。
【図面の簡単な説明】
【００１０】
【図１】本実用新案の一種タイミングができ、環境にやさしい省エネランプの構造説明図である。
【考案を実施するための形態】
【００１１】
本実用新案の技術手段、創作特徴、達成目的や効果を理解しやすいため、具体的なアイコンを組み合わせて、はっきり述べる。
【００１２】
図1を参照して、一種タイミングができ、環境にやさしい省エネランプはランプシェード100、その下に接続されるランプスタンド110を含まれる。ランプシェード100内部に省エネランプを設置されて、ランプスタンド100の上に時間の目盛り表記値の130を設置される。時間の目盛り表記値130の上に遊標120を設置されて、遊標120の下に警告区140を設置される。
【００１３】
本実用新案述べる省エネランプと時間の目盛り表記値130の間に温度センサーを設置される。
【００１４】
本実用新案述べる時間の目盛り表記値130の形は円形である。
【００１５】
上記に基づき、本実用新案の有益な効果は本製品の構造も簡単だし、制作も便利である。機械の原理を採用して省エネランプの上にランダムに調整できるタイマーを設置されることを通じて、省エネランプのタイミング効果を得る。省エネランプをよりよい環境にやさしく、よりよい省エネルギー、実用的で優れた性能、柔軟な使い方、革新的なデザインにさせる。これは素晴らしくて創造的なアイデアだから、マーケティングに普及の見通しがある。
【００１６】
本業者は知っているはず。本実用新案は上記の実施例を限定されない。上記の実施例と説明書の中に描くのは単なる本実用新案の原理を説明するしかない。本実用新案の精神と範囲から離れないという前提の下で、本実用新案は様々なの変化や改進が存在する。その変化や改進は特許要求本実用新案の範囲に落ちる。本実用新案の特許要求保護範囲は添付した権利要求書及びその同等物によって定義されるべきである。
【符号の説明】
【００１７】
100  ランプシェード
110  ランプスタンド
120  遊標
130  時間の目盛り表記値
140  警告区
【図１】
0003199284.tif 000003
(57)【要約】【課題】  より多くの人が気軽に機能性無機物の効能を享受することができる衣服を提供する。【解決手段】  衣服１の少なくとも一部には、機能性無機物のパウダーをプリントしたプリント部２を有する。機能性無機物は、種々の模様、形状、文字などを描いてプリントされる。機能性無機物として、少なくとも花崗岩と溶岩石を含む。花崗岩としては、鳥海山麓の近傍で採取されたものを用いるのが好ましい。機能性無機物は、パウダー状に加工し、プリント用バインダーと混合することによって、衣服へのプリントが可能となる。バインダーとしては、この技術分野において知られる通常の材料を用いることができる。プリントの方法としては、例えばシルクスクリーン印刷を用いることができる。【選択図】図１
0003199272.tif 000002
【実用新案登録請求の範囲】
【請求項１】
プリント部を有する衣服であって、
前記プリント部には、花崗岩と溶岩石とを含む機能性無機物のパウダーがプリントされたことを特徴とする衣服。
【考案の詳細な説明】
【技術分野】
【０００１】
この考案は、シャツや肌着などの衣服に関し、より詳細には、機能性無機物による効果が期待できる衣服に関する。
【背景技術】
【０００２】
従来、ゲルマニウムが担持されたブレスレット等の装身具が知られている。このような装身具を着用することによって、ゲルマニウムの効能を期待することができる。
【先行技術文献】
【特許文献】
【０００３】
【特許文献１】特開２００３‐１１６６１３号公報
【考案の概要】
【考案が解決しようとする課題】
【０００４】
しかしながら、ブレスレット等の装身具は、着用者の体質や職種、規則等によって着用できないことも多い。
【０００５】
この考案では、より多くの人が気軽に機能性無機物の効能を享受することができる衣服を提供することを課題とする。
【課題を解決するための手段】
【０００６】
この考案の衣服は、プリント部を有する衣服であって、前記プリント部には、花崗岩と溶岩石とを含む機能性無機物のパウダーがプリントされたことを特徴とする。
機能性無機物とは、無機物を含むとともに、例えば遠赤外線やマイナスイオンを放出することによって、使用者に対して心理的・身体的に何らかの影響を及ぼすものをいう。
【考案の効果】
【０００７】
この考案によれば、機能性無機物をパウダーにしてプリントするので、種々の衣服へのプリントが可能となる。したがって、別途装身具を装着する必要がなく、気軽に機能性無機物の効果を享受することができる。
【図面の簡単な説明】
【０００８】
【図１】この考案の衣服の一実施形態を示した図。
【考案を実施するための形態】
【０００９】
図１を参照し、この考案の衣服１としてＴシャツを例に挙げて説明する。衣服１の少なくとも一部には、機能性無機物のパウダーをプリントしたプリント部２を有する。この実施形態では、Ｔシャツの袖部分にプリント部２を備える。機能性無機物をプリントする部分はどこでもよく、胸部分、背中部分、裾部分などにプリント部２を設けてもよい。また、プリント部２は、衣服の表面あるいは裏面のいずれに設けてもよい。
【００１０】
機能性無機物は、種々の模様、形状、文字などを描いてプリントされる。この実施形態では渦巻を描いている。プリントされる面積は特に限定されるものではなく、プリントされる部分や形状等に応じて適宜変更可能である。また、プリント部２は、衣服１の複数個所に設けてもよい。
【００１１】
機能性無機物として、少なくとも花崗岩と溶岩石を含む。花崗岩としては、鳥海山麓の近傍で採取されたものを用いるのが好ましい。また、別途鉱物を添加してもよい。機能性無機物に含まれる無機物は、天然物であってもよし、セラミック等の人工物であってもよい。
【００１２】
上記のような機能性無機物は、パウダー状に加工し、プリント用バインダーと混合することによって、衣服へのプリントが可能となる。パウダー状に加工した機能性無機物の粒度は４５μｍ以下であることが望ましく、プリントに適している。バインダーとしては、この技術分野において知られる通常の材料を用いることができる。プリントの方法としては、例えばシルクスクリーン印刷を用いることができる。
【００１３】
このように衣服１に機能性無機物をプリントすることによって、この衣服の着用者が機能性無機物の効能を享受することができる。例えば、体の左右・前後の筋力のバランスを整えたり、筋力の増強をしたりという効果を期待することができる。
【００１４】
機能性無機物のパウダーにおいて、花崗岩の割合はパウダー全体の３０重量％以上であることが望ましい。また、衣服１にプリントされるパウダーの量は、上記効能を十分に享受するために、０．１ｇ以上であることが望ましい。ただし、これら花崗岩の量およびパウダーの量は、これら数値に限定されるものではなく、プリント方法やプリント面積等に応じて適宜変更可能である。
【００１５】
衣服１として例えば下着を用い、これにプリントすることによって、より身体に機能性無機物を近づけることができる。また、これら機能性無機物がプリントされた衣服の上に通常の衣服を着用することによって、外見からはプリントを視認することができないから、制服の着用等、衣服が規制されるような場合であっても機能性無機物の効果を享受することができる。さらに、別途装身具等を着用する必要がないから、手軽に機能性無機物を身に着けることができる。
【符号の説明】
【００１６】
１    衣服
２    プリント部
【図１】
0003199272.tif 000003
(57)【要約】      （修正有）【課題】骨盤系や腹膜を整え、腰痛や大腿部のだるさを改善し、慢性疲労の回復・コリや痛みの感情的なストレスも解消し健康維持の出来るツイン・ボール押圧具を提供する。【解決手段】身体の爽快ツボを刺激する押圧ツイン・ボールに於いて、押圧に必要な弾力性を有するテニスボール２個をゴム管で繋ぐため、それぞれのボールの一部に直径８ミリメートル位の・ゴム管通し孔を設け、これとは別に直径７ミリメートルのゴム管の両端にボールにゴム管を挿入後、ゴム管が抜け落ちる事を防止するためのトグラーＴＡを取付け、ボールとボールとの間隔を６０・７０・８０ミリメートルＳ・Ｍ・Ｌの３種類としボールに挿入固定したことを特徴とする。【選択図】図１
0003199210.tif 000002
【実用新案登録請求の範囲】
【請求項１】
本考案は、ツインに設置された球体によって身体の爽快ツボを刺激する為の押圧具であるが、押圧に必要な弾力性を有するテニスボール様の球体（以下ボールと呼ぶ）２個をゴム管で繋ぐため、それぞれのボールにゴム管通し孔を設け、これとは別にゴム管の両端にトグラーＴＡを取付けボールにゴム管を挿入後、ゴム管が抜け落ちないように、ボールに挿入固定しボールとボールの間隔を保有する。
以上を特徴とするツイン・ボール押圧具である。
【考案の詳細な説明】
【技術分野】
【０００１】  本考案は、骨盤系や腹膜を整え、腰痛や大腿部のだるさを改善し、慢性疲労の回復・コリや痛みの感情的なストレスも解消し健康維持の出来る簡易押圧具に関するものである
【背景技術】
【０００２】  従来は、テニスボール２個を布で固く縛り腰など患部に当てる押圧具（特許文献１参照）や軸に押圧に必要な弾力性のあるボールを２個有しこのボールを自由に移動させることが出来るもの（特許文献２参照）が知られている。
【先行技術文献】
【特許文献】
【０００３】
【特許文献１】実登３１４５３３３号  公報
【特許文献２】実開平０６−０３８９８９号  公報
【考案の概要】
【考案が解決しようとする課題】
【０００４】  特許文献１に示される先行技術は、２個のボールを布で固く縛り固定されている為、自由に回転させることが出来ず、ひねりを入れた押圧が困難であった。
特許文献２に示される先行技術は、軸にボールを刺したもので、軸方向へは自由に移動するものの、任意の位置に固定は出来るのであるが、これもひねりながらの押圧部は移動制限され使用しにくく、無理にひねりを入れると、２個がつながっていない為、分離し押圧がうまく出来なかった。また、かた叩きや頭部・首などに軽く刺激を与えることも出来なかった。
本考案は、以上の問題点を解決するためになされたものである。
【課題を解決するための手段】
【０００５】  本考案は、ツインに設置された球体によって身体の爽快ツボを刺激する為の押圧具であるが、押圧に必要な弾力性を有するテニスボール様の球体（以下ボールと呼ぶ）２個をゴム管で繋ぐため、それぞれのボールにゴム管通し孔を設け、これとは別にゴム管の両端にトグラーＴＡを取付けボールにゴム管を挿入後、ゴム管が抜け落ちないように、ボールに挿入固定しボールとボールの間隔を保有する。
以上を特徴とするツイン・ボール押圧具である。
【考案の効果】
【０００６】  本考案は、ボール２個を布で固く縛ったものや・軸に通した形態のものでは無くゴム管、で２個のボールを繋いだ事で、ボールが自由に転がり・移動押圧ができ、また、２個のボールが開き過ぎた場合、少し身体を浮かせる事でゴムが元の位置に、ボールが引き戻され使用し易く、コリや痛みの感情的なストレスも、解消し健康管理が出来る。
【図面の簡単な説明】
【０００７】
【図１】本考案の斜視図
【図２】本考案を、寝転んだ状態で使用する時に押圧する人体部位を示す、イメージ図
【図３】本考案の腰をおろした状態で使用する時に、本考案が押圧する人体部を示す、イメージ図
【考案を実施するための形態】
【０００８】  以下本考案の形態を説明する。
身体の爽快ツボを刺激する押圧ボール（１ａ）（１ｂ）の任意の位置にゴム管通し孔（２）を設け、直径８ミリメートルのゴム管（３）にゴム管がボールから抜け落ちる事を防止する為のトグラーＴＡ（４）をゴム管（３）の両端に取付け、ボール２個の間隔を６０・７０・８０ミリメートルの３種類Ｓ・Ｍ・Ｌの長さのゴム管を残し、個々のボールの孔（２）にゴム管付きトグラーＴＡ（４）をそれぞれ差し込み固定する。
本考案は、以上のような構成であり、これを実際に使用する場合は２個のボール（１ａ）（１ｂ）を接近させ腰の脊髄の両脇に当て、また、両脚の大腿部にゴム管（３）を左右に伸ばし、ボール（１ａ）（１ｂ）を当ていずれも、左右にボール（１ａ）（１ｂ）をゴロゴロ転がし、上半身は上向きで・下半身のみ、ひねりながら腰を横向きになる気持ちでひねりを入れながら、足を交互に伸縮させ骨盤の矯正・腹筋の強化をはかり、腰痛・大腿部のだるさを改善する。片方のボール（１ａ）か（１ｂ）のどちらかを握りゴムで肩を叩くような感じで肩たたき、また、ゴム管（４）の中央をつまみ、ぶらぶら頭部・首に当て刺激出来る。痛みやだるさの感情的なストレスも解消でき、健康維持の出来る簡易押圧具であり、ダイエット効果もある、ツイン・ボール押圧具。
使用する前に下記の１〜２の検査を実施して、浮いている反対側にボール（１ａ）（１ｂ）を１個か２個同時に当て浮いている側を下げるべく使用すれば、より効果的である。１、力を抜いて仰向けに寝転び軽く足を伸ばし尻の左右のどちらが浮いているか調べる。２、同様に寝転び肩の左右、どちらが床から浮いているかを知り、浮いていない方に当てる。
次に、うつ伏せに寝転び足を軽く伸ばし力を抜いて、他の人に両足を軽く持ち上げてもらい、指先を揃えて置いてもらい指の長さが違っていれば、骨盤の狂いが有ります。この場合は、仰向けに寝転び腰に２個のボール（１ａ）（１ｂ）を当て、左右のゴロゴロ転がし、足を前後・交互に伸縮させる、短い方の脚を特に伸ばすような気持ちで数回実施し、骨盤の矯正をします。矯正後は、ボール（１ａ）（１ｂ）はそのままか、外しても良いのですが５分間位動かず安静に保つことが重要ある。
【符号の説明】
【０００９】１ａ、ボール  １ｂ、ボール  ２、ゴム管通し孔  ３、ゴム管：  ４、抜け落ち防止トグラーＴＡ
【図１】
0003199210.tif 000003
【図２】
0003199210.tif 000004
【図３】
0003199210.tif 000005
(57)【要約】      （修正有）【課題】使用する部材が少なく、汚れにくく、清掃が簡単な三角コーナーを提供する。【解決手段】従来の三角コーナーの三つの側面及び底面を外して、上方開口部を縁取る開口枠１と、底面を縁取る底部枠２と、その開口枠と底部枠とを各々三角形頂点において上下に支え結合する支柱３から成る外部枠を形成し、底部枠の三辺の各々の中点を結ぶ底部ハーフ枠４を形成し、底部ハーフ枠の三辺の各々の中点を結ぶ底部クォーター枠５を形成し、三つの支柱は、開口枠より少し上に飛び出て、先端部分を外側に約９０度折り曲げ、底部枠は三つの支柱の最下端より少し上の位置に設け、骨組みだけで出来たことを特徴とする。【選択図】図３
0003199205.tif 000002
【実用新案登録請求の範囲】
【請求項１】
従来の三角コーナーの三つの側面及び底面を外して、上方開口部を縁取る開口枠と、底面を縁取る底部枠と、その開口枠と底部枠とを各々三角形頂点において上下に支え結合する支柱から成る外部枠を形成し、底部枠の三辺の各々の中点を結ぶ底部ハーフ枠を形成し、底部ハーフ枠の三辺の各々の中点を結ぶ底部クォーター枠を形成し、三つの支柱は、開口枠より少し上に飛び出て、先端部分を外側に約９０度折り曲げ、底部枠は三つの支柱の最下端より少し上の位置に設けたことを特徴とする骨組みだけで出来た、骨組み三角コーナー。
【考案の詳細な説明】
【技術分野】
【０００１】  本考案は、使用する部材を少なくすることによって、汚れにくい三角コーナーを提供するものである。
【技術背景】
【０００２】  従来の三角コーナーは、三つの側面及び底面を持ち、各側面及び底面に丸い小さな穴を開けて水切りをしていた。このような三角コーナーは使用する部材が多いので汚れるのが早く、また汚れる範囲も広いため頻繁に清掃する必要があった（特許文献１参照）。
【先行技術文献】
【特許文献】
【０００３】
【特許文献１】  特開２０１０−１５５７２２号公報
【考案の概要】
【考案が解決しようとする課題】
【０００４】  特許文献１に示される従来の三角コーナーは、三つの側面及び底面を持ち、各側面及び底面に丸い小さな穴を開けて水切りをしていた。このような三角コーナーは使用する部材が多いので汚れるのが早く、また汚れる範囲も広いため頻繁に清掃する必要があった。
【問題を解決するための手段】
【０００５】  従来の三角コーナーの三つの側面及び底面を外して、上方開口部を縁取る開口枠と、底面を縁取る底部枠と、その開口枠と底部枠とを各々三角形頂点において上下に支え結合する支柱から成る外部枠を形成し、底部枠の三辺の各々の中点を結ぶ底部ハーフ枠を形成し、底部ハーフ枠の三辺の各々の中点を結ぶ底部クォーター枠を形成する。三つの支柱は、開口枠より少し上に飛び出て、先端部分を外側に約９０度折り曲げ、底部枠は三つの支柱の最下端より少し上の位置に設けたことを特徴とする骨組みだけで出来た三角コーナーを提供する。
【考案の効果】
【０００６】  骨組みだけで出来た本考案の三角コーナーは、使用する部材が少ないので汚れにくく、また汚れてもその範囲は極めて狭いので、清掃が簡単になる。
また、底部ハーフ三角枠及び底部クォーター三角枠を設けており、底部枠の中心部に行くほど小さな三角枠となっている。このため、使い捨ての水切りネットの底が流し台に直接接触することがないので、水切りが良い。
【図面の簡単な説明】
【０００７】
【図１】  本考案の平面図
【図２】  本考案のの側面図
【図３】  本考案の斜視図
【考案を実施するための形態】
【０００８】  以下、考案の実施の形態を説明する。
（イ）従来の三角コーナーの三つの側面及び底面を外して、上方開口部を縁取る開口枠（１）と、底面を縁取る底部枠（２）と、その開口枠（１）と底部枠（２）とを各々三角形頂点において上下に支え結合する支柱（３）から成る外部枠を形成する。
（ロ）底部枠（２）の三辺の各々の中点を結ぶ底部ハーフ枠（４）を形成する。
（ニ）底部ハーフ枠（４）の三辺の各々の中点を結ぶ底部クォーター枠（５）を形成する。
（ホ）三つの支柱（３）は、開口枠（１）より少し上に飛び出て、先端部分を外側に約９０度折り曲げる。
（ヘ）底部枠（２）は三つの支柱（３）の最下端より少し上の位置に設ける。
本考案は以上のような構造である。
【０００９】  これを実際に使用する際の形態を以下に説明する。
三つの支柱（３）の上部に、使い捨ての水切りネットを掛けて使用する。
本考案は骨組みだけで出来ているので汚れにくく、また、汚れてもその範囲は極めて狭いので、清掃が容易である。
また、低部枠（２）に底部ハーフ三角枠（４）及び底部クォーター三角枠（５）を設けており、底部枠（２）の中心部に行くほど小さな三角枠となっているので、使い捨ての水切りネットの底が、流し台に直接接触することがないので、水切りが良い。
【符号の説明】
【００１０】  １  開口枠、２  底部枠、３  支柱、４  底部ハーフ三角枠、
５  底部クォーター三角枠
【図１】
0003199205.tif 000003
【図２】
0003199205.tif 000004
【図３】
0003199205.tif 000005
(57)【要約】      （修正有）【課題】カップの状態で市販されているヨーグルト、プリン、アイスクリームはもとより、飲食店で販売されているスープやカレーの容器に残る残渣をすくうことを主な用途とした残渣用スプーンを提供する。【解決手段】先端部１にシリコンゴムで成型されたへら状の皿を、柄の部分２に連続して設けられた支柱を軸にして付帯させることを特徴とする。【選択図】図１
0003197835.tif 000002
【実用新案登録請求の範囲】
【請求項１】
先端部にシリコンゴムで成型されたへら状の皿を、柄の部分に連続して設けられた支柱を軸にして付帯させることで、カップの状態で市販されているヨーグルト、プリン、アイスクリームはもとより、飲食店で販売されているスープやカレーの容器に残る残渣をすくうことができることを特徴とする残渣用スプーン。
【考案の詳細な説明】
【背景技術】
【０００１】
本考案は、カップの状態で市販されているヨーグルト、プリン、アイスクリームはもとより、飲食店で販売されているスープやカレーの容器に残る残渣をすくうことを主な用途としたスプーンに関するものである。
【考案の概要】
【考案が解決しようとする課題】
【０００２】
私たちはカップの状態で市販されているヨーグルトやプリンやアイスクリームを購入したり、飲食店でスープやカレーを注文することがあり、それらをスプーンですくって食べる。ところが、スプーンの持つ素材と形状から、残渣が残ってしまうことがままある。このことは、それらを好んで購入した私たちにとって不本意であると考えられる。そこで、どのようにすればカップや皿に残渣を残すことなくヨーグルトやスープを食べきることが可能となるかを課題とした。
【課題を解決するための手段】
【０００３】
シリコンゴムでできたへら状の皿を、スプーンの皿状の部分に代替させることで本課題を解決する。
【考案の効果】
【０００４】
従来は、カップの状態で市販されているヨーグルトやプリンやアイスクリームを、または皿に盛られたスープやカレーを食べる際に、金属やプラスチックといった硬い素材からなるスプーンを使用していたため、容器に残渣が残ることが多かった。本考案を使用すれば、容器に残渣を残すことなくカップの状態で市販されているヨーグルトやプリンやアイスクリームを、または皿に盛られたスープやカレーを食べることが可能となる。
【図面の簡単な説明】
【０００５】
【図１】本考案は、シリコンゴムで成型された柔軟なへら状の皿である先端部分と、プラスチック、金属等で成型された柄部分からなる。
【考案を実施するための形態】
【０００６】
本考案の使用者は、通常のスプーンを使用し、カップの状態で市販されているヨーグルトやプリンやアイスクリームを、または皿に盛られたスープやカレーを食べた後、残渣が気になれば、残渣用スプーンを使用して残渣を食べることができる。また、最初から残渣用スプーンを使用して、カップの状態で市販されているヨーグルトやプリンやアイスクリームを、または皿に盛られたスープやカレーを食べることもできる。
【符号の説明】
【０００７】
１シリコンゴムで成型された先端部分
２プラスチック、金属等で成型された柄部分
【図１】
0003197835.tif 000003
(57)【要約】      （修正有）【課題】畳んだ傘を、手を濡らすことなく車両の助手席や運転席から後ろを振り返りながら片手で容易に収納可能な傘収納ケースを提供する。【解決手段】傘収納ケース１は円錐筒状の側面に傘挿入側が底部側より大きい細長い扇形状の開口３を設け、濡れた傘が筒の内面に密着しないように針金等で成形した取付枠５に巻きつけた網状の布４を筒内側に取り付けたものである。傘収納ケースの底部には着脱可能なキャップ２を備え、底部に溜まった雨水を捨てることを容易にする。また、折り畳み式のスタンド７の両端を傘収納ケースの取付穴９に挿入して取り付け、スタンドは固定ピン８を車両床面のマット１５に刺して固定する。【選択図】図４
0003197836.tif 000002
【実用新案登録請求の範囲】
【請求項１】
円錐筒状の側面に細長い扇形状の開口を設け、濡れた傘が筒内面に密着しないように筒内側に網状の布を具備する片手で傘が収納可能であることを特徴とした傘収納ケース。
【考案の詳細な説明】
【技術分野】
【０００１】
自動車に備え付ける傘の収納具に関するものである。
【背景技術】
【０００２】
自動車に備え付ける傘収納具に関するものは、袋状のものや筒状のものなど多くの利用がある。
【先行技術文献】
【特許文献】
【０００３】
【特許文献１】実開平６−９６６
【特許文献２】特開２０００−７９０４８
【特許文献３】特開２００８−１２２４４
【特許文献４】特開２０１０−１１５３８７
【特許文献５】特開２０１５−１９８７４
【考案の概要】
【考案が解決しようとする課題】
【０００４】
自動車に乗車するときに傘をたたんで座席脇に置いたり、床に置いたりする場合が多い。  雨傘の場合は、車内などが濡れないように袋状の収納用品や、筒状の収納具があるが、  傘を畳んで乗り込むときにどうしても両手で傘を丸めながら収納しなければならなず手が濡れてしまう。
【０００５】
本考案は、畳んだ傘を片手で容易に収納できる構造を有し、手を濡らすことなく収納可能である。  さらに、車両の助手席や運転席に乗り込む場合でも足元に置くことなく、助手席背面や運転席背面に設置した収納ケースに前席から後ろを振り返りながら片手で収納が可能である。
【課題を解決するための手段】
【０００６】
円錐筒状の傘収納ケース（１）本体の側面に細長い扇形状の開口（３）を備え、水滴などで傘が傘収納ケース（１）の内面に密着することを防止するため網状の布（４）を取り付けた取付枠（５）を傘収納ケース（１）に挿入し固定する構造である。
【０００７】
傘収納ケース（１）本体の側面の細長い扇形状の開口（３）は片手で傘を捻りながら収納できる機能を持つ。  傘収納ケース（１）の挿入側の径および開口（３）は底部側より大きいため傘の収納が容易になる。
【０００８】
網状の布（４）はマジックテープ（登録商標）またはホックなどで取付枠（５）に取り付ける方法とする。  取付枠（５）は爪（６）で傘収納ケース（１）本体に固定する。  この爪（６）は板状とするなどの方法もある。
【０００９】
傘収納ケース（１）の底部は着脱可能なキャップ（２）を備えケース底部に溜まった雨水を捨てることを容易にする構造とする。
【００１０】
傘収納ケース（１）は折り畳み式のスタンド（７）を備え、スタンドの両端を傘収納ケース（１）のスタンド取付穴（９）に挿入して取り付ける。  傘収納ケース（１）に取り付けられたスタンドは固定ピン（８）などを車両床面のマット（１５）に刺して固定する。  また、スタンド（７）の底部と床マット（１５）にマジックテープ（登録商標）を取り付け固定する方法もある。
【００１１】
傘収納ケース（１）は取付穴（１１）に紐（１０）等を通してヘッドレストの支柱（１３）にフック（１２）で吊り下げることも可能である。  なお、ヘッドレストの支柱（１３）がない構造の場合は、座席背もたれに紐を廻して取り付けてもよい。
【考案の効果】
【００１２】
本傘収納ケース（１）は、助手席（１７）や運転席（１６）に乗車する場合でも座席脇に傘を置くことなく、前席から後ろを振り向きながら片手で収納ケース（１）に収納できる。  また、後席に乗車する一般的な場合でも手を濡らさず片手で収納可能である。
【図面の簡単な説明】
【００１３】
【図１】傘（１４）を収納する時の様子を示す傘収納ケース（１）の斜視図。
【図２】取付枠（５）に網状の布（４）を取り付けた状態を示す斜視図。
【図３】網状の布（４）を外した状態を示す取付枠（５）の斜視図。
【図４】自動車の助手席背面にスタンド（７）を利用して設置する例を示す斜視図。
【図５】ヘッドレストの支柱（１３）にフック（１２）と紐（１０）を利用して設置する例を示す斜視図。
【実施例】
【００１４】
自動車内助手席背面部などに設置。（図４参照）
【符号の説明】
【００１５】
１    傘収納ケース
２    キャップ
３    開口
４    網状の布
５    取付枠
６    爪
７    スタンド
８    固定ピン
９    スタンド取付穴
１０  紐
１１  取付穴
１２  フック
１３  ヘッドレストの支柱
１４  傘
１５  自動車床マット
１６  運転席
１７  助手席
【図１】
0003197836.tif 000003
【図２】
0003197836.tif 000004
【図３】
0003197836.tif 000005
【図４】
0003197836.tif 000006
【図５】
0003197836.tif 000007
(57)【要約】      （修正有）【課題】不用意に消灯する虞れのある不都合を常時補償して、常に点灯状態を保持できるテールランプとしての尾灯装置を提供する。【解決手段】半円弧状の突出した一対のアーム板２ａ，２ｂの中央を鏡面構造の半円球状の内枠板１の中央の電源ソケット部に螺合させ、一方のアーム板２ａの先端には照明電球３の電源ソケット４を設置し、他方のアーム板２ｂの先端には、内枠板１の開口部に被着した透光照明板５の中央に環状配設される多数のＬＥＤ７のリード線８の電気接続部１０を形成し、電源ソケット４と導通させることで、照明電球３とＬＥＤ７とを同時に発光できるようにした。【選択図】図２
0003197833.tif 000002
【実用新案登録請求の範囲】
【請求項１】
半円弧状の突出した一対のアーム板の中央を鏡面構造の半円球状の内枠板の中央の電源ソケットに螺合させ、前記一対のアーム板の一方の先端に照明電球の電源ソケットとして使用でき、他方のアーム板の先端には、環状に接続され、鏡面構造の前記内枠板の開口部に被着される透光照明板の中央に配設される多数のＬＥＤのリード線の導通部として形成でき、前記電源ソケットと導通形成でき、照明電球とＬＥＤとを同時に発光できるようにして成ることを特徴とする尾灯装置である。
【請求項２】
照明電球は単一で、ＬＥＤは多数環状に形成されて成ることを特徴とする請求項１記載の尾灯装置ある。
【考案の詳細な説明】
【技術分野】
【０００１】
本考案は、不用意に消灯する虞れのある不都合を、常時補償して、常に点灯状態を保持できるテールランプとしての尾灯装置に関する。
【背景技術】
【０００２】
この種の尾灯装置として、テールランプの電源を二分割して、尾灯の発光部分を上下二段に分割して、一方が消灯した時は他方が補うようにした尾灯装置が知られている（例えば、特許文献１参照）。
【０００３】
そして多くの場合、尾灯装置Ｘは、図４に示すように一連のランプ自体Ｌは、それぞれ一個のみで自動車Ｃの鏡面半球状の枠体Ｆの中央に着脱自在に装着できるようになっている。
【先行技術文献】
【特許文献】
【０００４】
【特許文献１】実用新案登録第３０１６２５３号公報
【考案の概要】
【考案が解決しようとする課題】
【０００５】
特許文献１に示される尾灯装置は、尾灯の発光部分を上下二段に分割してあるため、一方が消灯しても他方が点灯しているので、全域でなく半域での点灯が可能であるにすぎず、飽くまで全域での点灯ができないという不都合があった。
【０００６】
本考案は、補助灯自体が全域での点灯が可能であるため、一方が消灯であっても他方の点灯が行われるが、全域であるため、照明の明るさが減少しても殆ど影響なく、しかも違和感なく点灯が可能という効果がある。
【課題を解決するための手段】
【０００７】
この考案は下記の構成を備えることにより上記課題を解決できるものである。
【０００８】
（１）半円弧状の突出した一対のアーム板の中央を鏡面構造の半円球状の内枠板の中央の電源ソケットに螺合させ、前記一対のアーム板の一方の先端に照明電球の電源ソケットとして使用でき、他方のアーム板の先端には、環状に接続され、鏡面構造の前記内枠板の開口部に被着される透光照明板の中央に配設される多数のＬＥＤのリード線の導通部として形成でき、前記電源ソケットと導通形成でき、照明電球とＬＥＤとを同時に発光できるようにして成ることを特徴とする尾灯装置である。
【０００９】
（２）照明電球は単一で、ＬＥＤは多数環状に形成されて成ることを特徴とする前記（１）記載の尾灯装置ある。
【考案の効果】
【００１０】
本考案によれば、正常時には中央の照明電球とＬＥＤよりの発光により照光作用を呈しているが、主に単一の照明電球が消灯するには、多数のＬＥＤのみが発光して補償できるので、走行に支障なく運転を行わせることができる。しかも、全域での照明が行われるので、光量が著しく減ずることもない。
【図面の簡単な説明】
【００１１】
【図１】本考案に係る尾灯装置を有蓋車などの商業車に付設した場合を示す正面図
【図２】図１に示す尾灯装置の内部構造を示す断面説明図
【図３】全体の電気回路構成を示す一例の電源回路
【図４】従来例の一例を示す尾灯装置の内部構造を示す断面説明図
【考案を実施するための形態】
【００１２】
以下本考案を実施するための最良の形態を、実施例により詳しく説明する。
【実施例】
【００１３】
図面について説明する。
【００１４】
１は、自動車Ｃの後部に設けられる鏡面構造を備えた半円球状の内枠板、２は、左右または上下に分割して半円弧状に突出させた導電性一対のアーム板であって、一方のアーム板２ａの先端には照明電球３を着脱できる電源ソケット４を備え、着点灯時に鏡面の中心軸上に装着できるようになっており、他方のアーム板２ｂの先端には電気接続部１０が設けられ、前記鏡面内枠板１の表面に装着して透光できる着色透明板５の内側の溝孔６内に埋設される多数の連続したＬＥＤ７のリード線８が導かれており、前記一方のランプ光線のリード線８と結合させて、中央のコンセント９と並列的に接続できるようになっている。
【００１５】
そして、この中のコンセント９は図４に示されるように通常の電源ランプのソケットとして利用できるものである。
【００１６】
したがって、走行時に電源を入れると、一方の内側の鏡面の照明電球３に通電され、併せて多数の連続したＬＥＤ７への通電も行われるので、表面の光源ランプとして働き、常時に二方向での照明が可能となり、一方が消灯しても他方が補償して走行に支障なくライトを働かせることができる。
【符号の説明】
【００１７】
１    内枠板
２，２ａ，２ｂ  アーム板
３    照明電球
４    電源ソケット
５    着色透明板
６    溝孔
７    ＬＥＤ
８    リード線
９    コンセント
１０  電気接続部
Ｃ    自動車
Ｆ    枠体
Ｌ    ランプ自体
Ｘ    尾灯装置
【図１】
0003197833.tif 000003
【図２】
0003197833.tif 000004
【図３】
0003197833.tif 000005
【図４】
0003197833.tif 000006